【手続補正書】
【提出日】平成22年1月14日(2010.1.14)
【手続補正１】
【補正対象書類名】明細書
【補正対象項目名】発明の名称
【補正方法】変更
【補正の内容】
【発明の名称】ネットワークリモート制御装置、方法およびプログラム
【手続補正２】
【補正対象書類名】明細書
【補正対象項目名】特許請求の範囲
【補正方法】変更
【補正の内容】
【特許請求の範囲】
【請求項１】  ネットワークを介して接続される被制御装置を制御する制御装置であって、
前記ネットワークを介して接続される被制御装置の制御内容を選択するための操作パネルと、
所定キーが押下されたときに前記操作パネルで選択されている制御内容と前記被制御装置の識別情報とを、前記制御装置に指示を入力するための一のキーに対応付けて記憶する記憶手段と、
前記制御装置に指示を入力するための前記一のキーの押下に応じて、当該一のキーに対応付けて記憶されている識別情報に応じた被制御装置に対し、当該一のキーに対応付けて記憶されている制御内容に応じた制御信号を送信する送信手段と
を有することを特徴とする制御装置。
【請求項２】  前記記憶手段は、前記制御装置に指示を入力するための第１のキーに、第１の制御内容と、前記被制御装置の識別情報とを対応付けて記憶すると共に、前記制御装置に指示を入力するための第２のキーに、第２の制御内容と、前記被制御装置の識別情報とを対応付けて記憶し、
前記送信手段は、前記第１のキーの押下に応じて、第１のキーに対応付けて記憶されている前記識別情報に応じた被制御装置に対し、前記第１の制御内容に応じた制御信号を送信し、
前記第２のキーの押下に応じて、第２のキーに対応付けて記憶されている前記識別情報に応じた被制御装置に対し、前記第２の制御内容に応じた制御信号を送信する
ことを特徴とする請求項１記載の制御装置。
【請求項３】  前記記憶手段は、前記制御装置に指示を入力するための第１のキーに、前記ネットワークを介して接続される第１の被制御装置の識別情報と第１の制御内容とを対応付けて記憶すると共に、前記制御装置に指示を入力するための第２のキーに、前記ネットワークを介して接続される第２の被制御装置の識別情報と第２の制御内容とを対応付けて記憶し、
前記送信手段は、前記第１のキーの押下に応じて、前記第１の被制御装置に対し、前記第１の制御内容に応じた制御信号を送信し、
前記第２のキーの押下に応じて、前記第２の被制御装置に対し、前記第２の制御内容に応じた制御信号を送信する
ことを特徴とする請求項１記載の制御装置。
【請求項４】  ネットワークを介して接続される被制御装置の制御内容を選択するための操作パネルを有し、前記ネットワークを介して接続される被制御装置を制御する制御装置が行う制御方法であって、
所定キーが押下されたときに前記操作パネルで選択されている制御内容と前記被制御装置の識別情報とを、前記制御装置に指示を入力するための一のキーに対応付けて記憶する記憶工程と、
前記制御装置に指示を入力するための前記一のキーの押下に応じて、当該一のキーに対応付けて記憶されている識別情報に応じた被制御装置に対し、当該一のキーに対応付けて記憶されている制御内容に応じた制御信号を送信する送信工程と
を有することを特徴とする制御方法。
【請求項５】  ネットワークを介して接続される被制御装置の制御内容を選択するための操作パネルを有し、前記ネットワークを介して接続される被制御装置を制御するコンピュータに、
所定キーが押下されたときに前記操作パネルで選択されている制御内容と前記被制御装置の識別情報とを、前記制御装置に指示を入力するための一のキーに対応付けて記憶する記憶手順と、
前記制御装置に指示を入力するための前記一のキーの押下に応じて、当該一のキーに対応付けて記憶されている識別情報に応じた被制御装置に対し、当該一のキーに対応付けて記憶されている制御内容に応じた制御信号を送信する送信手順と
を実行させることを特徴とするプログラム。
【手続補正３】
【補正対象書類名】明細書
【補正対象項目名】０００１
【補正方法】変更
【補正の内容】
【０００１】
【発明の属する技術分野】
本発明は、ネットワークリモート制御装置、方法およびプログラムに関する。より詳しくは、ネットワークに接続された機器を、他の機器のリモコン装置で制御するネットワークリモート制御装置、方法およびプログラムに関する。
【手続補正４】
【補正対象書類名】明細書
【補正対象項目名】００１８
【補正方法】変更
【補正の内容】
【００１８】
【課題を解決するための手段】
このような目的を達成するために、請求項１の発明は、ネットワークを介して接続される被制御装置を制御する制御装置であって、前記ネットワークを介して接続される被制御装置の制御内容を選択するための操作パネルと、所定キーが押下されたときに前記操作パネルで選択されている制御内容と前記被制御装置の識別情報とを、前記制御装置に指示を入力するための一のキーに対応付けて記憶する記憶手段と、前記制御装置に指示を入力するための前記一のキーの押下に応じて、当該一のキーに対応付けて記憶されている識別情報に応じた被制御装置に対し、当該一のキーに対応付けて記憶されている制御内容に応じた制御信号を送信する送信手段とを有することを特徴とする。
【手続補正５】
【補正対象書類名】明細書
【補正対象項目名】００１９
【補正方法】変更
【補正の内容】
【００１９】
請求項２の発明は、請求項１記載の制御装置において、前記記憶手段は、前記制御装置に指示を入力するための第１のキーに、第１の制御内容と、前記被制御装置の識別情報とを対応付けて記憶すると共に、前記制御装置に指示を入力するための第２のキーに、第２の制御内容と、前記被制御装置の識別情報とを対応付けて記憶し、前記送信手段は、前記第１のキーの押下に応じて、第１のキーに対応付けて記憶されている前記識別情報に応じた被制御装置に対し、前記第１の制御内容に応じた制御信号を送信し、前記第２のキーの押下に応じて、第２のキーに対応付けて記憶されている前記識別情報に応じた被制御装置に対し、前記第２の制御内容に応じた制御信号を送信することを特徴とする。
【手続補正６】
【補正対象書類名】明細書
【補正対象項目名】００２０
【補正方法】変更
【補正の内容】
【００２０】
請求項３の発明は、請求項１記載の制御装置において、前記記憶手段は、前記制御装置に指示を入力するための第１のキーに、前記ネットワークを介して接続される第１の被制御装置の識別情報と第１の制御内容とを対応付けて記憶すると共に、前記制御装置に指示を入力するための第２のキーに、前記ネットワークを介して接続される第２の被制御装置の識別情報と第２の制御内容とを対応付けて記憶し、前記送信手段は、前記第１のキーの押下に応じて、前記第１の被制御装置に対し、前記第１の制御内容に応じた制御信号を送信し、前記第２のキーの押下に応じて、前記第２の被制御装置に対し、前記第２の制御内容に応じた制御信号を送信することを特徴とする。
【手続補正７】
【補正対象書類名】明細書
【補正対象項目名】００２１
【補正方法】変更
【補正の内容】
【００２１】
請求項４の発明は、ネットワークを介して接続される被制御装置の制御内容を選択するための操作パネルを有し、前記ネットワークを介して接続される被制御装置を制御する制御装置が行う制御方法であって、所定キーが押下されたときに前記操作パネルで選択されている制御内容と前記被制御装置の識別情報とを、前記制御装置に指示を入力するための一のキーに対応付けて記憶する記憶工程と、前記制御装置に指示を入力するための前記一のキーの押下に応じて、当該一のキーに対応付けて記憶されている識別情報に応じた被制御装置に対し、当該一のキーに対応付けて記憶されている制御内容に応じた制御信号を送信する送信工程とを有することを特徴とする。
【手続補正８】
【補正対象書類名】明細書
【補正対象項目名】００２２
【補正方法】変更
【補正の内容】
【００２２】
請求項５の発明は、ネットワークを介して接続される被制御装置の制御内容を選択するための操作パネルを有し、前記ネットワークを介して接続される被制御装置を制御するコンピュータに、所定キーが押下されたときに前記操作パネルで選択されている制御内容と前記被制御装置の識別情報とを、前記制御装置に指示を入力するための一のキーに対応付けて記憶する記憶手順と、前記制御装置に指示を入力するための前記一のキーの押下に応じて、当該一のキーに対応付けて記憶されている識別情報に応じた被制御装置に対し、当該一のキーに対応付けて記憶されている制御内容に応じた制御信号を送信する送信手順と
を実行させることを特徴とする。
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】削除
【補正の内容】
【手続補正１２】
【補正対象書類名】明細書
【補正対象項目名】００２６
【補正方法】削除
【補正の内容】
【手続補正１３】
【補正対象書類名】明細書
【補正対象項目名】００２７
【補正方法】削除
【補正の内容】
【手続補正１４】
【補正対象書類名】明細書
【補正対象項目名】００２８
【補正方法】削除
【補正の内容】
【手続補正１５】
【補正対象書類名】明細書
【補正対象項目名】００２９
【補正方法】削除
【補正の内容】